(57)【要約】【課題】室内機のドレン口から室外への排水口まで、１本の断熱ドレン配管を用い、天井に負荷を与えることなく、低コスト化を図り得る。【解決手段】内側に断熱ドレン配管２を収納可能な大きさを有するドレン配管ホルダー１の長手方向全長に亘り、ドレン配管ホルダー１の内側にドレン配管が出入可能な開口を設け、この開口端縁から外側方に連続して張り出した下部カバー４、５と、下部カバー４、５の外側縁から略直角に立ち上がる側カバー６、７と、側カバー６、７の上端縁から略直角に内方に延設された上部カバー８、９とで内側にナット収納部を設け、ナット収納部には左右両側に張り出す取付版１４、１５を設けている。【選択図】図１
2007225269.tif 000002
【特許請求の範囲】
【請求項１】
天井裏部分に室内機用ドレン配管を所望の勾配を有して取り付けるためのエアコン隠蔽配管用のドレン配管取付具において、
内側に断熱ドレン配管を収納可能な大きさを有するドレン配管ホルダーの長手方向全長に亘たり、このドレン配管ホルダーの内側にドレン配管が出入可能な開口を設け、該開口端縁から外側方に連続して張り出した下部カバーと、該下部カバーの外側縁から略直角に立ち上がる側カバーと、該側カバーの上端縁から略直角に内方に延設されボルト挿通孔が設けられた上部カバーとで、内側にナットを収納可能な空間部を設けてナット収納部となし、該ナット収納部の左右両側には外方に張り出す取付板を設け、この取付板には梁にドレン配管取付具を取り付けるための取付手段を設けたことを特徴とするエアコン隠蔽配管用のドレン配管取付具。
【発明の詳細な説明】
【技術分野】
【０００１】  本発明は、住宅用等のエアコン隠蔽配管用のドレン配管取付具に関するものである。
【背景技術】
【０００２】  ハウジングユニット等に室内機を組み付ける場合、特に室内機を部屋の天井部分に組み込む場合、室内機のドレン口からの排水を室外に導くためのドレン配管は所定の勾配をつけて設置する必要がある。旧来の木造日本家屋では床面を根太や大引きで支持していたため床面下方に隙間を有し、この隙間を配管スペースとし硬質塩化ビニール管を勾配を有して配設していたが、現在の組立式住宅は梁に直接床板を取り付けているため配管スペースがなく、梁に欠き込みを形成し、この欠き込みは梁の強度保持の観点より最小のものであることを必要としていた。そして、ドレン配管が欠き込みを通過可能にするため、室内機のドレン口には可撓性及び弾力性を有する断熱ドレン配管を連通接続し、欠き込みを通らせて天井裏で勾配を有して配設された横引きの硬質塩化ビニール管に接続し、横引き部分が終わると硬質塩化ビニール管の下端開口に断熱ドレン配管を連通接続し、この断熱ドレン配管を階下へ内外壁面間を這わせて垂下していた。
しかしながら、上記従来のハウジングエアコンシステム用のドレン配管取り付け方法であると、天井裏の横引き部分に硬質塩化ビニール管を用い、この硬質塩化ビニール管の両端開口は、可撓性を有する断熱ドレン配管を連通接続している。つまり、室内機のドレン口から屋外への排水口に亘り断熱ドレン配管と硬質塩化ビニール管、及び縦手等の種々の部品を使用するので、コストがかかり、又、断熱ドレン配管と硬質塩化ビニール管との接続部に接着剤を用いて接続するため、接続部から水漏れをする事態が生じていた。
又、天井裏でドレン配管の撓みを防止するためのドレン配管取付具としては、定型性を有するダクトの両端を高さの異なるばね脚部材で支持するようにしたものが存在する。（例えば、特許文献１参照）。この特許文献１のドレン配管取付具であると、天井に負荷がかかり好ましくない。
【特許文献１】特開平１０−７３２７６号公報。
【発明の開示】
【発明が解決しようとする課題】
【０００３】  本発明は、室内機のドレン口から室外への排水口まで、同じ一本の断熱ドレン配管を用い、天井に負荷を与えることなく、低コスト化を図り得るエアコン隠蔽配管用のドレン配管取付具を提供することを目的とする。
【課題を解決するための手段】
【０００４】  上記目的を達成するために本願発明は天井裏部分に室内機用ドレン配管を所定の勾配を有して取り付けるためのエアコン隠蔽配管用のドレン配管取付具において、内側に断熱ドレン配管を収納可能な大きさを有するドレン配管ホルダーの長手方向全長に亘たり、このドレン配管ホルダーの内側にドレン配管が出入可能な開口を設け、該開口端縁から外側方に連続して張り出した下部カバーと、該下部カバーの外端縁から略直角に立ち上がる側カバーと、該側カバーの上端縁から略直角に内方に延設されボルト挿通孔が設けられた上部カバーとで、内側にナットを収納可能な空間部を設けてナット収納部となし、該ナット収納部の左右両側には外方に張り出す取付板を設け、この取付板には梁にドレン配管取付具を取り付けるための取付手段を設けたことを特徴とする。
【発明の効果】
【０００５】  本発明は、可撓性を有する断熱ドレン配管を天井裏に於いて撓むことなく配設可能で、吊りバンドを用いてボルトとナットを用いて梁に吊り下げることや、ビスや釘を用いて壁に取り付けること等あらゆる取付方法に対応可能であるという効果がある。
【発明を実施するための最良の形態】
【実施例１】
【０００６】  図１は本発明エアコン隠蔽配管用のドレン配管取付具の斜視図、図２は本実施例のエアコン隠蔽配管用のドレン配管取付具の上部カバーを閉じた状態を示す側面図、図３は使用状態を示す説明図である。これらの図において、ドレン配管ホルダー１はポリプロピレン等の合成樹脂製で、内側にドレン配管２を収納可能な大きさの一方向に著しく長く両端方を開放した円筒形に形成されている。ドレン配管ホルダー１には、ドレン配管２を出入可能な開口３を長手方向に沿って全長に亘たり設けている。開口３の開口端縁から両外側方に連続して張り出した下部カバー４、５の端縁から略９０度の角度を有して立ち上がる側カバー６、７を連続して設け、側カバー６、７の上端縁から側カバー６、７に対して９０度の角度を有して内方に上部カバー８、９を連続して設けている。側カバー６、７はナット１０の高さよりも高さ方向長さが長く形成されている。上部カバー８、９は、側カバー６、７の上端縁を折り線として内方に折ると互いに重なり合うように形成されており、上部カバー８にはナット１０と螺着されるボルト１１を挿通する軸方向に長いボルト挿通孔１２がドレン配管ホルダー１の軸方向に沿って所定間隔を有して穿設されている。上部カバー９には、上部カバー９の端縁に開口する平視Ｔ型のボルト出入溝１３が、上部カバー８、９を重ね合わせた場合に一致する位置に穿設されている。取付板１４、１５は上部カバー８、９を上下に重ね合わせ開口３を閉じた場合に、上部カバー８、９の高さと同一位置に位置するように側カバー６、７の上部に於いて側方に張り出し、長さ方向に沿って締結具挿通孔１６が穿設されている。【０００７】  次に使用方法について図３を参照にして説明する。上階の内外壁面から降下したドレン配管２を床下でドレン配管ホルダー１に収納して上部カバー８、９を重合し、取付板１４、１５を梁等の横架材に当接し締結具１７を締結具挿通孔１６を貫通させて締着する。
又、図４及び図５に示すように、上階から降りてきたドレン配管２をドレン配管ホルダー１に収納し、ナット１０、１８及びボルト１１で重合された上部カバー８、９を締結し、梁２１に取り付けられた羽子板２２にボルト１１を取り付けてドレン配管２を天井裏に配設するものである。また、図５中の右側に配設されているエアコン隠蔽配管用ドレン配管取付具２３に示すように、梁２１に締結具１７を取り付ける。
【図面の簡単な説明】
【０００８】
【図１】エアコン隠蔽配管用のドレン配管取付具の斜視図である。（実施例１）
【図２】エアコン隠蔽配管用のドレン配管取付具の上部カバーを閉じた状態を示す側面図である。（実施例１）
【図３】使用状態を示す説明図である。（実施例１）
【図４】使用状態を示す説明図である。（実施例１）
【図５】使用状態を示す説明図である。（実施例１）
【符号の説明】
【０００９】  １  ドレン配管ホルダー
２  ドレン配管
３  開口
４、５  下部カバー
６、７  側カバー
８、９  上部カバー
１０、１８  ナット
１１  ボルト
１４、１５  取付板
【図１】
2007225269.tif 000003
【図２】
2007225269.tif 000004
【図３】
2007225269.tif 000005
【図４】
2007225269.tif 000006
【図５】
2007225269.tif 000007